(57)【要約】【課題】デザイン性に優れ、かつ、強度が確保された薄型の折り畳み式携帯装置を提供すること。【解決手段】表示部側リアカバー１を樹脂材料で、かつ、操作部側リアカバー４を金属材料で、かつ、嵌合部やヒンジ５などの複雑な形状が必要な表示部側フロントケース２および操作部側フロントケース３を樹脂材料と金属材料との複合材で形成する。【選択図】図３
2010088131.tif 000002
【特許請求の範囲】
【請求項１】
表示部側リアカバーを樹脂材料で形成し、かつ、操作部側リアカバーを金属材料で形成し、さらに、嵌合部やヒンジ部などの複雑な形状が必要な表示部側フロントケースおよび操作部側フロントケースを樹脂材料と金属材料との複合材で形成することを特徴とする折り畳み式携帯装置。
【請求項２】
表示部側リアカバーを樹脂材料で形成し、かつ、操作部側リアカバーを金属材料で形成し、かつ、表示部側フロントケースおよび操作部側フロントケースのそれぞれの平面部分を主に金属材料で形成し、さらに、前記表示部側フロントケースおよび前記操作部側フロントケースの筐体嵌合部やヒンジ部などの複雑な形状部分を樹脂材料で形成することを特徴とする折り畳み式携帯装置。
【請求項３】
前記表示部側リアカバーを樹脂材料と金属材料との複合材で形成することを特徴とする請求項１または２記載の折り畳み式携帯装置。
【発明の詳細な説明】
【技術分野】
【０００１】
本発明は、折り畳み式携帯装置の折り畳まれる一方の筐体および他方の筐体を構築する技術に関する。
【背景技術】
【０００２】
近年の携帯電話機などに代表される携帯装置の市場では、折り畳み式の携帯装置が主流となっており、特に、小型化・薄型化された折り畳み式の携帯携帯装置が要求されている。
【０００３】
そのため、小型化・薄型化を目指した折り畳み携帯装置が次々と市場に登場しているが、薄型化の実現には、デザイン性と強度確保が常に課題となっている。
【０００４】
ここで、携帯電話機やノート型パソコンなどの弱電製品の樹脂製筐体に触媒を吸着させ、無電解めっき浴で該樹脂製筐体に下地金属を析出させ、スルファミン酸ニッケル浴またはスルファミン酸ニッケル・コバルト浴に酢酸または酢酸ニッケルなどの有機酸または有機酸塩を添加しためっき浴中に、樹脂製筐体を浸漬して、そのニッケルのめっき膜厚が５〜３０μｍ程度になるように電解析出させることで、スルファミン酸ニッケルをめっき浴に使用することで、均一性の高いめっき処理をして、樹脂めっきの剛性と硬度を高めることができる技術が提案されている（例えば、特許文献１参照）。
【先行技術文献】
【特許文献】
【０００５】
【特許文献１】特開２００５−１５４８６４号公報
【発明の概要】
【発明が解決しようとする課題】
【０００６】
しかしながら、上述した従来例においては次のような問題点があった。
【０００７】
折り畳み式携帯装置の薄型化で、筐体をすべて樹脂で構成すると強度が確保できず、また、筐体をすべて金属で構成すると自由なデザインや嵌合部の複雑形状を形成することが困難であるため、デザイン性に優れ、かつ、強度を確保した薄型の折り畳み式携帯装置を提供することができなかった。この問題は、上記の特許文献１に開示されている技術についても同様にあてはまる。
【０００８】
本発明は、以上説明した事情に鑑みてなされたものであり、その目的は、デザイン性に優れ、かつ、強度が確保された折り畳み式携帯装置を提供することである。
【課題を解決するための手段】
【０００９】
上記課題を解決するために、本発明は、表示部側リアカバーを樹脂材料で形成し、かつ、操作部側リアカバーを金属材料で形成し、さらに、嵌合部やヒンジ部などの複雑な形状が必要な表示部側フロントケースおよび操作部側フロントケースを樹脂材料と金属材料との複合材で形成する折り畳み式携帯装置を提供する。
【発明の効果】
【００１０】
本発明によれば、デザイン性に優れ、かつ、強度が確保された折り畳み式携帯装置を提供することができる。
【図面の簡単な説明】
【００１１】
【図１】本発明の第１の実施形態における折り畳み式携帯電話機の閉状態斜視図である。
【図２】本発明の第１の実施形態における折り畳み式携帯電話機の開状態斜視図である。
【図３】本発明の第１の実施形態における折り畳み式携帯電話機の主要部品の分解斜視図である。
【図４】本発明の第１の実施形態における図１のＡ−Ａ線、Ｂ−Ｂ線にそれぞれ沿った断面図である。
【図５】本発明の第１の実施形態における図１のＡ−Ａ線、Ｂ−Ｂ線にそれぞれ沿った断面図である。
【図６】本発明の第２の実施形態における折り畳み式携帯電話機の閉状態斜視図である。
【図７】本発明の第２の実施形態における表示部側リアカバーの構成を示す図である。
【発明を実施するための形態】
【００１２】
以下、本発明の第１の実施の形態について図面を参照して詳細に説明する。本実施の形態では、折り畳み式携帯装置の一例として、折り畳み式携帯電話機が用いられているが、ＰＤＡやノート型パーソナルコンピュータなどの情報処理装置も折り畳み式携帯装置に含まれるのはもちろんである。なお、各図において共通する部分には、同一の符号が付されている。
【００１３】
図１は本実施の形態における折り畳み式携帯電話機１２の閉状態斜視図である。図２は本実施の形態における折り畳み式携帯電話機１２の開状態斜視図である。
【００１４】
図１および図２を参照すると、折り畳み式携帯電話機１２は、表示部側の筐体で特にデザイン要素が大きく、サブ表示部７を備えた表示部側リアカバー１と、メイン表示部８およびヒンジ部２ｃを備えた表示部側フロントケース２と、操作部側の筐体で特にデザイン要素の少ない操作部側リアカバー４と、キー操作部１０およびヒンジ部３ｃを備えた操作部側フロントケース３とを主要部品として構成されている。
【００１５】
図３は主要部品の分解斜視図である。図４は、図１のＡ−Ａ線、Ｂ−Ｂ線にそれぞれ沿った断面図であり、また、図５は、図１のＡ−Ａ線、Ｂ−Ｂ線にそれぞれ沿った断面図である。
【００１６】
図３〜５を参照すると、表示部側フロントケース２および操作部側フロントケース３は、薄さと強度を目的とした板金部２ａ、３ａと、嵌合部やヒンジ部などの複雑形状を形成することを目的とした樹脂部２ｂ、３ｂとから構成されており、上記の表示部側フロントケース２と操作部側フロントケース３はヒンジ５により結合されている。
【００１７】
表示部側リアカバー１と表示部側フロントケース２とから構成された表示部側の筐体内には電気部品が実装されたプリント基板９が設けられており、また、操作部側フロントケース３と操作部側リアカバー４とから構成された操作部側の筐体内にも電気部品が実装されたプリント基板１１が設けられている。
【００１８】
また、表示部側リアカバー１と表示部側フロントケース２とから構成された表示部側の筐体内にはプリント基板９の他にアンテナ６も設けられている。
【００１９】
次に、本実施の形態における折り畳み式携帯電話機１２の筐体の材料構成について詳細に説明する。
【００２０】
図３を参照すると、折り畳み式携帯電話機１２の表示部側は、表示部側リアカバー１と表示部側フロントケース２とから構成されている。
【００２１】
表示部側リアカバー１は、折り畳み式携帯電話機１２の開時においても閉時においても外観部に位置しているため、特にデザイン性が重要で、様々な外観デザイン形状が要求される部品である。そのため、表示部側リアカバー１の材料は、様々な形状が形成しやすい樹脂材料とされる。
【００２２】
表示部側フロントケース２は、図２に示されるように表示部側フロントケース２の大部分を占めるメイン表示部８を配置しているため、メイン表示部８が破損しないレベルの強度が要求される部品であり、かつ、表示部側リアカバー１との嵌合部分やヒンジ５が取り付けられるヒンジ部分などの複雑な形状が要求される部品でもある。そのため、表示部側フロントケース２の材料は、メイン表示部８を保持している板金部２ａの材料を強度と薄さを兼ね備えた金属材料とし、一方、嵌合部を形成している樹脂部２ｂとヒンジが取り付けられるヒンジ部２ｃの材料を複雑な形状が形成しやすく寸法調整も容易な樹脂材料とした、金属材料と樹脂材料との複合材とされる。
【００２３】
折り畳み式携帯電話機１２の操作部側は、操作部側フロントケース３と操作部側リアカバー４とから構成されている。
【００２４】
操作部側リアカバー４は、折り畳み式携帯電話機１２の開時においても閉時においても外観に位置しているが、折り畳み式携帯電話機１２の裏面に位置しているため、デザイン性があまり重要でない部品である。そのため、操作部側リアカバー４の材料は、複雑な形状を必要とせず、強度と薄さを優先とした板金部品とされる。
【００２５】
操作部側フロントケース３は、図２に示されるように操作部側フロントケース３の大部分を占めるキー操作部１０が配置されているため、キーの押圧で折り畳み式携帯電話機１２が破壊されないレベルの強度が要求される部品であり、かつ、操作部側リアカバー４との嵌合部分やヒンジ５が取り付けられるヒンジ部分などの複雑な形状が要求される部品でもある。そのため、操作部側フロントケース３の材料は、キー操作部１０を保持している板金部３ａの材料を強度と薄さを兼ね備えた金属材料とし、一方、嵌合部を形成している樹脂部３ｂとヒンジが取り付けられるヒンジ部３ｃの材料を複雑な形状が形成しやすく寸法調整も容易な樹脂材料とした、金属材料と樹脂材料との複合材とされる。
【００２６】
次に、本実施の形態における折り畳み式携帯電話機１２の筐体の材料構成を踏まえて、折り畳み式携帯電話機１２の装置構成をさらに詳細に説明する。
【００２７】
図１を参照すると、デザイン要素を多く必要とする表示部側リアカバー１に、デザイン要素の１つとして、サブ表示部７が設置されている。
【００２８】
図２を参照すると、表示部側フロントケース２の大部分を占めているメイン表示部８および操作部側フロントケース３の大部分を占めているキー操作部１０が設置され、樹脂材料で形成された表示部側フロントケース２のヒンジ部２ｃと樹脂材料で形成された操作部側フロントケース３のヒンジ部３ｃとからヒンジ部が構成されている。
【００２９】
図４および図５を参照すると、金属材料で形成されている表示部側フロントケース２の板金部２ａ、操作部側フロントケース３の板金部３ａ、操作部側リアカバー４の肉厚の薄さが、折り畳み式携帯電話機１２の薄型化を可能にしており、また、上記の表示部側フロントケース２の板金部２ａ、操作部側フロントケース３の板金部３ａおよび操作部側リアカバー４の金属材料で囲まれた構造が、折り畳み式携帯電話機１２の強度確保を可能にしており、表示部側筐体内部に配置された基板９および操作部側筐体内部に配置された基板１１を保護している。
【００３０】
図２および図４を参照すると、表示部側リアカバー１と表示部側フロントケース２の樹脂部２ｂの樹脂材料で覆われた位置にアンテナ６が設置されており、アンテナ特性の妨げとなる表示部側フロントケース２の板金部２ａがアンテナ６と一定の距離を有して配置された構成となっている。
【００３１】
本実施の形態によれば、表示部側フロントケース２と操作部側フロントケース３のそれぞれの平面部分を主に金属材料で形成し、さらに、操作部側リアカバー４を金属材料のみで形成することで、樹脂材料では構成不可能な薄型化を実現し、また、表示部側リアカバー１を従来の折り畳み式携帯電話機と同等の樹脂材料で形成することでデザインの自由度を確保し、また、表示部側フロントケース２と操作部側フロントケース３の、特に装置厚さに起因しない筐体嵌合部やヒンジ部などの複雑形状部分を樹脂材料で形成することで筐体の組立性および分解性も従来の折り畳み式携帯電話機と同等とし、また、表示部側フロントケース２と操作部側フロントケース３と操作部側リアカバー４の主要３部品が、主に金属材料で構成されていることで強度の確保が可能な折り畳み式携帯電話機１２を提供することができる。
【００３２】
また、アンテナ部分を樹脂材料のみの表示部側リアカバー１と表示部側フロントケース２の樹脂材料部分の樹脂部２ｂとで構成された部分に配置することで、折り畳み式携帯電話機の装置内に実装しても金属材料でシールドされることがなく、アンテナ特性劣化を回避することができる折り畳み式携帯電話機１２を提供することができる。
【００３３】
また、表示部側リアカバー１を樹脂材料のみで形成し、操作部側リアカバー４を金属材料のみで構成したことにより、表示部側リアカバー１と操作部側リアカバー４とに質量差が生まれ、表示部側筐体を開閉させ、操作部側筐体を手で保持して使用する場面の多い折り畳み式携帯電話機１２においては、表示部側筐体の質量が軽くなっていることより開閉動作が容易となる。また、操作部側筐体の質量が重くなっていることより手での保持性が良好となる折り畳み式携帯電話機１２を提供することができる。さらに、折り畳み式携帯電話機１２の開状態では、操作部側筐体に重心があるため、机上などに折り畳み式携帯電話機１２を置いた際、表示部側に倒れることなく、操作部側筐体と机が密接することで安定した状態を保つことができる。
【００３４】
次に、本発明の第２に実施の形態について説明する。本実施の形態でも、折り畳み式携帯装置の一例として、折り畳み式携帯電話機が用いられ、その基本的な構成は上記の第１の実施の形態と同様であるので重複する説明は省略する。
【００３５】
本実施の形態では、折り畳み式携帯電話機１２の表示部側リアカバー１を金属材料のみや樹脂材料と金属材料との複合材で構成する点が上記の第１の実施の形態と異なる。
【００３６】
まず、表示部側リアカバー１を金属材料のみで構成する場合は、樹脂材料と比較して形状的にデザイン制約があることや、アンテナの実装位置が特性劣化を引き起こす金属筐体内部から特性に影響の無い外付けタイプにすることが必要な場合が多いが、折り畳み式携帯電話機１２をさらに薄型に構成することが可能であり、強度もさらに確保することができる。
【００３７】
次に、表示部側リアカバー１を樹脂材料と金属材料との複合材で構成する場合は、デザイン部の大部分を占める金属材料では細かいデザイン形状処理が不可能であるが、アンテナを筐体内部に実装することができ、折り畳み式携帯電話機１２を薄型に構成することが可能となる。
【００３８】
本実施の形態における折り畳み式携帯電話機１２の構成の一例を図６に示す。樹脂材料のみで形成された表示部側リアカバー１３に、デザインの加飾パーツとしての金属材料のプレート１４がサブ表示部１５の周囲部に固定されているので、折り畳み式携帯電話機１２の薄さや質量バランスを保った状態で、さらにデザイン性、強度の確保という相乗的（格別）な効果を奏することができる。なお、操作部側筐体１６は、第一の実施例で説明した操作部側フロントケース３と操作部側リアカバー４との組み合わせと同一構成である。また、樹脂材料のみで形成された表示部側リアカバー１３に、デザインの加飾パーツとしての金属材料のプレート１４は図７に示すようにはめ込まれてもよい。
【００３９】
なお、上述する各実施の形態は、本発明の好適な実施の形態であり、本発明の要旨を逸脱しない範囲内において種々変更実施が可能である。例えば、上記の各実施の形態におけるそれぞれの材料で表示部側リアカバー１、表示部側フロントケース２、操作部側フロントケース３および操作部側リアカバー４などを形成して折り畳み式携帯装置を製造する方法も含まれる。
【符号の説明】
【００４０】
１    表示部側リアカバー
２    表示部側フロントケース
３    操作部側フロントケース
２ａ、３ａ    板金部
２ｂ、３ｂ    樹脂部
２ｃ、３ｃ    ヒンジ部
４    操作部側リアカバー
５    ヒンジ
【図１】
2010088131.tif 000003
【図２】
2010088131.tif 000004
【図３】
2010088131.tif 000005
【図４】
2010088131.tif 000006
【図５】
2010088131.tif 000007
【図６】
2010088131.tif 000008
【図７】
2010088131.tif 000009